(57)【要約】【課題】液晶ディスプレイ（LCD; Liquid Crystal Display）のバックライト用光源の消費電力を低減する画像表示装置を提供。【解決手段】画像表示装置の実施例であるデジタルカメラに含まれるバックライト駆動装置30は、液晶ディスプレイを４分割した４つの領域にそれぞれ対応する４組のLED（LED; Light Emitting Diode）、すなわちLED 12、28と、LED 16、18と、LED 20、22と、LED 24、26とを有する。ユーザは、操作部68のモード切替ボタン156によってデジタルカメラを低消費電力モードに切り替え、さらに、ポインティングデバイス67によって上記４つの領域のいずれかを選択する。これにより、バックライト駆動装置30は、通常モードにおいてディスプレイ全体を照明していた３個のLED 12、14、16に代えて、スイッチSW１〜SW7を操作することにより、上述の４組のLEDのいずれかのみ、すなわち２個のLEDのみを点灯させ、液晶ディスプレイのうち１つの領域のみが照明される。【選択図】図１
2007148059.tif 000002
【特許請求の範囲】
【請求項１】
複数のバックライト用光源を有するディスプレイと、
該光源のうち、通常時に点灯するものの数より少ない数の光源を選択する選択手段と、
該少ない数の光源のみを点灯させるバックライト駆動手段とを含み、
これによって、消費電力を抑制することを特徴とする画像表示装置。
【請求項２】
請求項１に記載の画像表示装置において、該装置はさらに、前記少ない数の光源に流す電流の大きさを制御する制御手段を含むことを特徴とする画像表示装置。
【請求項３】
請求項１または２に記載の画像表示装置において、前記光源はLED（Light Emitting Diode）であることを特徴とする画像表示装置。
【請求項４】
請求項１ないし３のいずれかに記載の画像表示装置において、
前記選択手段は、前記ディスプレイ内の任意の領域を指定するポインティングデバイスであり、
前記点灯手段は、該ポインティングデバイスが指定する領域に対応付けられている光源を、前記少ない数の光源として点灯させることを特徴とする画像表示装置。
【発明の詳細な説明】
【技術分野】
【０００１】
本発明は、画像表示装置、とりわけ液晶ディスプレイ（LCD; Liquid Crystal Display）の画像表示装置に関するものである。
【背景技術】
【０００２】
通常、液晶ディスプレイのバックライトは、LED（Light Emitting Diode）などの光源を含み、光源からの光を導光板の側面片側から入光させ、導光板によって面光源として拡散させ、液晶ディスプレイの裏面からこれを照明する。したがって、液晶ディスプレイの表示画像の鮮やかさはバックライトの発光輝度に大きく影響される。また、バックライトの発光輝度は、その消費電力にほぼ比例する。
【０００３】
たとえば、ディスプレイの一部領域の表示内容しか必要としないにも拘らず、従来のバックライトではディスプレイ全体を照明していて、消費電力が必要以上に多いという問題点がある。
【０００４】
そこで特許文献１では、照明する必要のない画面領域に対しては基本的に照明光を照射せず、照明光が必要とされる画面領域にのみ照明光が照射されることによって消費電力を抑えている。
【０００５】
また、特許文献２および特許文献３では、画像サイズを縮小し、画像が再生されている部分にのみ照明光を照射することによって消費電力を抑える。これらの文献では、４分割された領域の１つに、１つの画像を縮小して再生することが可能である。
【特許文献１】特開２００１−１４２４０９号公報
【特許文献２】特開２００２−３５１３４２号公報
【特許文献３】特開２００３−１５６７２８号公報
【発明の開示】
【発明が解決しようとする課題】
【０００６】
しかし、特許文献２および特許文献３の場合、画像を縮小しなければ消費電力を抑制することはできないため、消費電力を抑えて画像を見る場合、その画像は常に縮小されていて、不明瞭なものになりかねない。また、縮小前の画像が既に複数の画像をサムネイル表示したものである場合、消費電力を抑えて画像を見ようとしても、サムネイル表示された複数の画像がさらに縮小され、鑑賞が困難となる。
【０００７】
一方、特許文献１の場合は、画面全体のうち必要な画面領域のみを照明することができるが、照明すべき画面領域を選択する手段については、LEDが分割領域単位でスイッチング素子に接続されているということしか開示していない（特許文献１、段落００１３）。
【０００８】
本発明はこのような課題に鑑み、液晶表示装置の画面を分割した各領域のうち任意の領域のみを照明し、かかる領域の選択も簡便に行なえる画像表示装置を提供することを目的とする。
【課題を解決するための手段】
【０００９】
本発明による画像表示装置は上述の課題を解決するために、複数のバックライト用光源を有するディスプレイと、これら光源のうち、通常時に点灯するものの数より少ない数の光源を選択する選択手段と、これら少ない数の光源のみを点灯させるバックライト駆動手段とを含み、これによって、消費電力を抑制する。
【００１０】
本発明による画像表示装置はさらに、上記少ない数の光源に流す電流の大きさを制御する制御手段を含む。
【００１１】
本発明による画像表示装置で用いる光源は、LED（Light Emitting Diode）である。本発明による画像表示装置で用いる選択手段は、ディスプレイ内の任意の領域を指定するポインティングデバイスであり、点灯手段は、ポインティングデバイスが指定する領域に対応付けられている光源を、上記少ない数の光源として点灯させる。
【発明の効果】
【００１２】
本発明によれば、液晶表示装置の画面を分割した各領域のうち任意の領域のみを照明することができる。これによって、画面全体を照明する場合に比較して少ない数の光源を点灯させればよく、消費電力を抑えることができる。また、少ない数の光源に流す電流の値も小さくなるため、さらに消費電力を抑えることができる。さらに、照明すべき領域の選択も簡便に行なうことができる。
【００１３】
さらに本発明によれば、複数の画像をサムネイル画像として液晶表示装置の画面に表示した場合でも、鑑賞したいサムネイル画像を含む領域のみを選択して照明できるため、消費電力を抑えつつ、サムネイル画像を明瞭に鑑賞することができる。
【発明を実施するための最良の形態】
【００１４】
次に添付図面を参照して本発明による画像表示装置の実施例を詳細に説明する。各図面において、本発明に直接関係のない要素は省略し、同様の要素は同一の参照符号によって指示するものとする。また信号はそれが現れる信号線の符号によって指示するものとする。
【００１５】
図５は、本発明による画像表示装置が有する液晶ディスプレイを示す模式図である。液晶ディスプレイ10の周囲には９個のLED（Light Emitting Diode）が設置されている。LED 12〜28は、後述のバックライト駆動装置30に含まれるバックライト用光源である。LED 12〜28からの光は液晶ディスプレイ10の導光板（図示しない）の側面片側から入光する。言い換えれば、図５の紙面に平行にLEDからの光は入射する。そして例えばLED 16からの光は、点線17で示す領域に照射され、導光板によって面光源として拡散される。すなわち、点線17で示す領域において、図５の紙面から図５の観察者に向かう方向に拡散されて液晶ディスプレイ10を照明する。
【００１６】
液晶ディスプレイ10は、左上の領域40、左下の領域42、右上の領域44、および右下の領域46に４分割されている。各領域を照明する場合に点灯されるLEDが対応付けられていて、領域40にはLED 24、26が対応し、領域42にはLED 28、12が対応し、領域44にはLED 20、22が対応し、領域46にはLED 16、18が対応する。これらLEDは、図５に示すように、対応づけられた四辺形の領域の２辺の中央に、それぞれ１個ずつ配置されている。ただしLED 14だけは例外であり、これはLED 12、16の中間に配置されている。本発明による画像表示装置が有する後述のバックライト駆動装置30によれば、たとえば図５に示すように、特定の領域46を照明するLED 16、18のみを点灯させることが可能である。
【００１７】
図１は、本発明による画像表示装置に含まれるバックライト駆動装置30の実施例の回路図である。バックライト駆動装置30は、図５に示した９個のLED 12〜28と、７個のスイッチSW1〜SW7と、２個の抵抗R1、R2と、昇圧IC（Integrated Circuit）32とを含み、スイッチSW1〜SW7を操作して、上述の９個のLED 12〜28を点灯または消灯させる装置である。昇圧IC 32の出力電圧端子32aの電位は、入力電圧端子32bのそれより高い。スイッチSW1〜SW7の切換に応じて、各LEDは、それに電流が流れれば点灯し、流れなければ点灯しない。たとえば、図５のようにLED 16、18のみを点灯させる場合、スイッチSW2、SW3、SW4をそれぞれ端子2a、3a、4aに切り換え、他のスイッチはいずれの端子も選択しないかOFFにすればよい。
【００１８】
抵抗R1の抵抗値は、抵抗R2のそれより小さい。したがって、以下、これらの素子をそれぞれ、小抵抗R1、大抵抗R2と称する。本発明による画像表示装置には、後でも述べるように、液晶ディスプレイ10の画面全体を照明する通常モードと、液晶ディスプレイ10の一部の領域のみを照明することによって通常モードより消費電力を抑制する低消費電力モードとがある。大抵抗R2は低消費電力モードの場合に使用される。図５のように、LED 16、18のみを点灯させる場合には、スイッチSW4は端子4aに切り換えられ大抵抗R2に電流が流れる。このとき、大抵抗R2は小抵抗R1より抵抗値が大きいため、小抵抗R1に電流が流れる場合に比較して、LED 16、18に流れる電流は小さくなり、消費電力が低くなる。
【００１９】
図４は図５に示す液晶ディスプレイについて、通常モードで画面全体を照明する場合の模式図である。この場合、図１におけるバックライト駆動装置30では、LED 12、14、16と小抵抗R1とに電流を流すため、スイッチSW1、SW2、SW3、SW4をそれぞれ端子1b、2b、3b、4bに切り換える。
【００２０】
ここで通常モードと低消費電力モードとの電力を比較する。小抵抗R1の抵抗値より大抵抗R2のそれのほうが大きいため、通常モード時に１個のLEDに流れる電流値を20mA、低消費電力モード時に１個のLEDに流れる電流値を10mAと仮定する。また、通常モード時に点灯するLEDの個数は図４に示すようにLED 12、14、16の３個であり、低消費電力モードでは図５に示すように２個とする。１個のLEDにかかる電圧は、モードに関わらず3.6Vとすると、通常モード時の電力は、以下のように計算される。
3.6(V)×３(個)×20(mA)＝216(mW)
一方、低消費電力モード時の電力は、以下のように計算される。
3.6(V)×２(個)×10(mA)＝72(mW)
このように、低消費電力モード時の消費電力は通常モード時の1/3となっている。また、低消費電力モードで４個のLEDを点灯させ、画面の半分を点灯させる場合の電力は、以下のように計算される。
3.6(V)×４(個)×10(mA)＝144(mW)
この値も通常モード時の電力の2/3であるため、消費電力は十分に削減されている。
【００２１】
LEDの点灯パターンについて、より詳細に説明する。図５に示す領域46のみを照明する場合は、既に述べた通り、LED 16、18のみに電流を流すため、スイッチSW2、SW3、SW4をそれぞれ端子2a、3a、4aに切り換え、他のスイッチはいずれの端子も選択しないかOFFにすればよい。
【００２２】
図５に示す領域40のみを照明する場合、当該領域に対応するLED 24、26のみを点灯させる。したがって、図１におけるバックライト駆動装置30のLED 24、26に電流を流すため、スイッチSW7をONにし、スイッチSW4を端子4aに切り換える。他のスイッチはいずれの端子も選択しないかOFFにすればよい。
【００２３】
図５に示す領域42のみを照明する場合、当該領域に対応するLED 12、28のみを点灯させる。したがって、図１におけるバックライト駆動装置30のLED 12、28に電流を流すため、スイッチSW1、SW4をそれぞれ端子1a、4aに切り換え、スイッチSW5をONにする。他のスイッチはいずれの端子も選択しないかOFFにすればよい。
【００２４】
図５に示す領域44のみを照明する場合、当該領域に対応するLED 20、22のみを点灯させる。したがって、図１におけるバックライト駆動装置30のLED 20、22に電流を流すため、スイッチSW6をONにし、SW4は端子4aに切り換える。他のスイッチはいずれの端子も選択しないかOFFにすればよい。
【００２５】
図５に示す２つの領域40、42のみを照明する場合、LED 24、26、28、12を点灯させる必要がある。したがって、図１におけるバックライト駆動装置30のスイッチSW5、SW7をONにし、スイッチSW1、SW4をそれぞれ端子1a、4aに切り換える。他のスイッチはいずれの端子も選択しないかOFFにすればよい。
【００２６】
図５に示す２つの領域40、44のみを照明する場合、LED 20、22、24、26を点灯させる必要がある。したがって、図１におけるバックライト駆動装置30のスイッチSW6、SW7をONにし、スイッチSW4を端子4aに切り換える。他のスイッチはいずれの端子も選択しないかOFFにすればよい。
【００２７】
図５に示す２つの領域44、46のみを照明する場合、LED 16、18、20、22を点灯させる必要がある。したがって、図１におけるバックライト駆動装置30のスイッチSW6をONにし、スイッチSW2、SW3、SW4をそれぞれ端子2a、3a、4aに切り換える。他のスイッチはいずれの端子も選択しないかOFFにすればよい。
【００２８】
図５に示す２つの領域42、46のみを照明する場合、LED 12、16、18、28を点灯させる必要がある。したがって、図１におけるバックライト駆動装置30のスイッチSW5をONにし、スイッチSW1、SW2、SW3、SW4をそれぞれ端子1a、2a、3a、4aに切り換える。他のスイッチはいずれの端子も選択しないかOFFにすればよい。
【００２９】
図５に示す２つの領域40、46のみを照明する場合、LED 16、18、24、26を点灯させる必要がある。したがって、図１におけるバックライト駆動装置30のスイッチSW7をONにし、スイッチSW2、SW3、SW4をそれぞれ端子2a、3a、4aに切り換える。他のスイッチはいずれの端子も選択しないかOFFにすればよい。
【００３０】
図５に示す２つの領域42、44のみを照明する場合、LED 12、20、22、28を点灯させる必要がある。したがって、図１におけるバックライト駆動装置30のスイッチSW5、SW6をONにし、スイッチSW1、SW4をそれぞれ端子1a、4aに切り換える。他のスイッチはいずれの端子も選択しないかOFFにすればよい。
【００３１】
以上のように、４分割された領域のうち、任意の１領域を、その領域に対応づけられている２個のLEDで照明することが可能である。また、任意の２領域を、それぞれの領域に対応づけられている合計４個のLEDで照明することが可能である。ただし、１領域のみ消灯する、言いかえれば任意の３領域を照明することはできない。しかし、仮にこれを実行したとしても、合計６個のLEDを点灯させることとなり、通常モードで３個のLED 12、14、16を点灯させる場合の消費電力と比較しても消費電力が大きくなってしまう。すると、消費電力の低減という本願発明の目的は達成できなくなるため、本末転倒となる。したがって、任意の３領域を照明したい場合には、通常モードにて３個のLED 12、14、16を点灯させ全領域を照明するほうが消費電力は抑えられる。
【００３２】
図６および図７は、マルチ再生方式にて液晶ディスプレイ10に４個の別々の画像を同時に再生した模式図である。マルチ再生方式では、１つの領域に１つの画像を再生する。図６はLED 24、26で領域40のみを照明している模式図である。図７はLED 20、22で領域44のみを照明している模式図である。このように鑑賞したい画像が表示されている領域のみを照明することによって、低消費電力が図られる。
【００３３】
図８および図９は、マルチ再生方式にて液晶ディスプレイ10に16個の画像を同時に再生した模式図である。１つの領域には４つの画像が再生されている。図８はLED 24とLED 26とで領域40のみを照明した様子を示す。図９はLED 20、22、24、26で領域40、44のみを照明した様子を示す。このように消費電力を抑制するとともに、いわゆるサムネイル画像を縮小することなくそのままのサイズで鑑賞できる。
【００３４】
本実施例では、バックライト駆動装置30の各スイッチを切り換え、小抵抗R1または大抵抗R2に通電を切り換えることによって、各LEDに流れる電流の値を制御している。しかし、昇圧IC32が各LEDに流れる電流の電流値を制御し、これによって消費電力を低減させてもよい。
【００３５】
図３は、本発明による画像表示装置の実施例であるデジタルカメラ60の構成図である。デジタルカメラ60は図１に示したバックライト駆動装置30を含み、これは、これが有するLED 12〜28の点灯を操作して、図４ないし図９に示した液晶ディスプレイ10に光62を照射する。
【００３６】
図３に示すように、デジタルカメラ60は操作部68を含み、操作部68は、各種ボタンを有していて、それらボタンの操作によってカメラ60の諸動作、とりわけバックライト駆動装置30の動作を決定する装置である。操作部68は、後述するシステムコントロール部64に信号線70によって接続されていて、ボタン操作によるボタン操作に応じた制御信号70をシステムコントロール部64に送る。システムコントロール部64は、これに信号線66によって接続されたバックライト駆動装置30に対して、ボタン操作に応じた同様の制御信号66を転送する。
【００３７】
操作部68は通常／低消費電力モード切替ボタン156を有し、ユーザがこのボタンを押すことによって、消費電力が相対的に大きい通常モードと、低消費電力モードとの切替が行なわれる。また、操作部68は十字キーもしくはマウスなどのポインティングデバイス67を有し、ユーザは、このデバイスを操作することによって、液晶ディスプレイ10に表示された矢印50（図10および図11）の位置を移動可能である。矢印50によって液晶ディスプレイ10の任意の位置が指定でき、当該位置が属する領域を照明すべき領域と認定することが可能である。
【００３８】
図10および図11は、低消費電力モードにおいて、照明すべき領域を矢印50によって選択する様子を示す模式図である。矢印50は画像表示装置が低消費電力モードに切り替わると表示される。
【００３９】
照明すべき領域の決定は、以下のように行なえばよい。まず、操作部68のモード切替ボタン156によって低消費電力モードに切換を行なう。するとモード切替信号70がシステムコントロール部64に与えられ、システムコントロール部64は、後述の液晶駆動回路130に指示信号138を送って、液晶ディスプレイ10に矢印を表示させる。これとともに、システムコントロール部64は、バックライト駆動装置30に指示信号66を送り、装置30の有するLEDをすべて消灯させる。あるいは図５のようにLED 16、18のみを点灯させ、最初から１つの領域46のみを照明してもよい。初期状態として１つの領域のみを照明する場合は、領域46に限られず、いずれの領域を照明してもよいことは言うまでもない。
【００４０】
次に、ユーザはポインティングデバイス67としてたとえば十字キーを用いて、液晶ディスプレイ10に表示された矢印50を移動させ、所望の位置に矢印50を移動させたら十字キーの中央部分を押せばよい。これはマウスで言うところのクリック動作に相当する。このクリック動作が行なわれたときの座標をシステムコントロール部64が認識し、当該座標が属する領域を、信号線66を通してバックライト駆動装置30に与える。そしてバックライト駆動装置30は当該領域に対応するLEDのみを点灯させればよい。その後、照明された領域以外の領域に矢印が移動し、そこで十字キーがクリックされた場合は、当該領域に対応するLEDのみを点灯させればよい。このように、照明する領域をユーザは自由に選択・変更することができる。
【００４１】
４つの領域は既に説明したように、バックライト駆動装置30のスイッチの切換によって任意の１つまたは２つの領域を選択して照明することができる。したがって、ユーザは、ポインティングデバイス67を用いて、矢印50を操作し、領域を２つまで選択可能である。領域を２つ選択する方法はいかなる方法であってもよく、例えば、ポインティングデバイス67である十字キーのクリック動作と同時に、他の特定のボタンを押すことによって、従前に照明されていた領域に対応するLEDを消灯することなく、新たに選択された領域に対応するLEDを点灯させることが可能である。なお本実施例では、同時に３つの領域を照明することはできないため、ユーザが領域を３つ選択した場合には、システムコントロール部64は、バックライト駆動装置30に指示信号66を送って通常モードに戻し、全領域を照明させればよい。あるいは、すでに２つの領域が照明されている状態で３つ目の領域が選択された場合には、当該選択を無効として何ら反応しなくてもよい。
【００４２】
図10は、矢印50が領域46に位置しているときにポインティングデバイス67がクリックされた結果、LED 16、18によって領域46が照明されている様子を示す。図11は、矢印50が領域44に位置しているときにポインティングデバイス67がクリックされた結果、LED 20、22によって領域44が照明されている様子を示す。
【００４３】
以下、デジタルカメラ60の基本的な機能と構成について概略を説明する。
【００４４】
操作部68は、既に説明したモード切替ボタン156およびポインティングデバイス67のほか、画像表示ボタン150とサムネイルボタン152とシャッターボタン154とを有する。画像表示ボタン150は、記憶媒体80に保存されている画像データを液晶ディスプレイ10に表示させるボタンである。サムネイルボタン152は、フレームメモリ118および記憶媒体80に保存されている画像から４あるいは16の画像を選択して、同時に液晶ディスプレイ10に表示させるボタンである。シャッターボタン154は、図示しないファインダーが捉えている景色を撮影するボタンである。操作部68は、画像表示ボタン150が押された場合は画像表示信号を、サムネイルボタン152が押された場合はサムネイル信号を、シャッターボタン154が押された場合は撮影信号をそれぞれ作成し、信号線70を介してシステムコントロール部64に供給する。
【００４５】
システムコントロール部64は、操作部68から供給される信号によって各種制御信号を作成・供給する。図３の操作部68からシステムコントロール部64に画像表示信号70が供給された場合は、システムコントロール部64は、フレームメモリ118もしくは記録媒体I/F122に表示制御信号76を供給する。フレームメモリ118もしくは記録媒体80に記録されている画像データを液晶ディスプレイ10に表示させる。
【００４６】
図３の操作部68からシステムコントロール部64にサムネイル信号70が供給された場合は、システムコントロール部64は、サムネイル信号76をフレームメモリ118もしくは記録媒体I/F（InterFace）122に供給し、別のサムネイル信号134をENCD（EnCoDe）回路126に供給する。
【００４７】
図２は、ENCD回路126の構成図である。ENCD回路126は、セレクタ200、ビデオ信号作成部202およびマルチ画面作成部204を含む。信号線134から通常の制御信号が供給されている場合、セレクタ200は供給される画像データ124を信号線211を介してビデオ信号作成部202に供給する。信号線134から上述のようにサムネイル信号が供給されている場合、セレクタ200は信号線124から次々と供給される画像データを信号線210を介してマルチ画面作成部204に供給する。
【００４８】
ビデオ信号作成部202は、供給される画像データ211をビデオ信号に変換し、さらに前述の画像表示処理を施し、信号線128に供給する。
【００４９】
マルチ画面作成部204は、供給される画像データ210をビデオ信号に変換し、前述の画像表示処理によって液晶ディスプレイ10に複数の画像を再生するサムネイル作成機能を有する。マルチ画面作成部204は、セレクタ200から信号線210を介して次々と供給されてくる画像データに対して、１つの画像データが液晶ディスプレイ10上で通常より小さく再生されるような画像表示処理を施し、サムネイルを作成する。サムネイルとなった画像データは信号線128に供給される。これにより、フレームメモリ118に保存されている複数の画像データを同時に液晶ディスプレイ10に再生することができる。
【００５０】
図３の操作部68からシステムコントロール部64に撮影信号70が供給された場合は、システムコントロール部64は、制御信号86をEPROM（Erasable Programmable Read Only Memory）98に供給する。EPROM 98は、記憶の消去・書込みを何度でも行なえるタイプのROM（Read Only Memory）であり、各種画像処理やAE（Automatic Exposure）/AF（Automatic Focus）制御の基準となるパラメータを格納している。EPROM 98は、供給される制御信号86に応じて、演算に必要なパラメータを信号線86を介してシステムコントロール部64に供給する。
【００５１】
次にシステムコントロール部64は、EPROM 98から供給されるパラメータを制御信号84とともにアクチュエータ駆動回路92に供給する。アクチュエータ駆動回路92は、供給される制御信号84とパラメータとを基に駆動信号94を作成・供給し、アクチュエータ96を制御する。アクチュエータ96は、信号線100を介してレンズ102を前後に動かすモータであり、その動作は供給される駆動信号94によって制御される。レンズ102を動かすことによって、被写体を焦点の合った位置に調節するAF機能を有する。
【００５２】
レンズ102は、アクチュエータ96によって位置を動かされ、被写体を焦点の合った位置に調節する。レンズ102は、図示しない入射光量を調節するAE機能を有し、駆動信号94に応じて入射する光束を通すアイリスの口径を変えている。レンズ102によって捉えられた光は、信号線104を介してCCD（Charge Coupled Device）106に供給される。
【００５３】
CCD 106は、半導体を用いた揮発性の記憶媒体で、アナログ・デジタル両方の信号を記憶することができる。CCD 106は、信号線104を介して供給される光を
電気信号に変換し、アナログ信号108としてA/D変換回路110に供給する。
【００５４】
A/D（Analog-to-Digital Converter）変換回路110は、供給されるアナログ信号108に対してノイズ除去、波形整形、デジタル化を行って得られた撮像データすべてをデジタルデータ（画像データ）112としてデジタル画像処理回路114に出力する。以上が、システムコントロール部64が撮影信号70を受信した場合に撮影動作を行なう構成の説明である。
【００５５】
システムコントロール部64は、撮影信号70を受信した場合には、EPROM 98やアクチュエータ駆動回路92の制御とは別に、制御信号76をデジタル画像処理回路114、FIFOメモリ120、フレームメモリ118および記憶媒体I/F（InterFace）122に与え、画像処理を実行させる。
【００５６】
デジタル画像処理回路114は、信号線112から供給される画像データに対しては、ガンマ変換、同時化処理および画像変換処理を行ない、信号線76を介してFIFOメモリ120に供給する。前述のガンマ変換、同時化処理および画像変換処理を施した画像データをフレームメモリ118もしくは記録媒体80に保存する場合、圧縮処理と入出力インタフェース処理とを施す。逆に圧縮処理が施された画像データがフレームメモリ118もしくは記録媒体80から供給された場合、インタフェース処理と伸長処理とを施し、FIFOメモリ120に供給する。
【００５７】
前述した処理それぞれについて簡単に説明すると、ガンマ変換は、供給される画像データをルックアップテーブルのデータを用いてガンマ補正する。
【００５８】
同時化処理は、画素に対して存在しない色について考慮しながら、補間して各画素にて三原色すべてを求める処理である。補間処理では、たとえば各画素データの相関に基づいて各画素データに重み係数を乗算し、乗算結果の加算平均により算出する。このように対象の画素に対する３つの原色が同時に揃えることができる。この処理を同時化と呼んでいる。
【００５９】
画像変換処理は、同時化した三原色の画像データに所定の係数を乗算し、色差マトリクス処理を行なう。
【００６０】
入出力インタフェース処理は、フレームメモリ118や記録媒体80に格納されている画像データの書込み/読出しにおける電気的な特性を調整したり、タイミング調整したりする機能を有する。
【００６１】
圧縮処理は、供給される画像データや色差データ等をJPEG（Joint Photographic coding Experts Group）等の規格でそれぞれ、圧縮する画像圧縮機能を有する。また、伸長処理は、フレームメモリ118や記録媒体80に記録した画像データを読出した後に施す処理であり、圧縮処理の逆処理である画像伸長機能を有する。
【００６２】
FIFOメモリ120は、データを格納したり、格納しているデータを取り出して使用する場合に、格納した順番通りに先に格納したデータが取り出せるメモリである。FIFOメモリ120はシステムコントロール部64から供給される制御信号76によって制御される。供給される画像データ76は一時的にFIFOメモリ120に格納され、先に格納された画像データから順番に信号線124を介してENCD（ENCoDe）回路126に供給される。
【００６３】
ENCD回路126は、供給される画像データに対してエンコードを行ない、NTSC（National Television Standards Committee）などのビデオ信号に変換する。また、ENCD回路126は、供給される画像データに対してRGB変換を行ない、このRGB変換した画像データを液晶ディスプレイ10が表示可能な画素数にする画像表示処理を施す。画像表示における画素数および表示サイズは、画素の間引き処理によって決定され、破綻のない画像が生成される。生成された画像データは信号線128を介して液晶駆動回路130に供給する。また、生成された画像データは信号線128を介してビデオ出力回路132に供給することもできる。ENCD回路126は、システムコントロール部64から供給される制御信号134によって制御される。以上が、システムコントロール部64が撮影信号70を受信した場合に画像処理を行なう構成の説明である。
【００６４】
液晶駆動回路130は、ENCD回路126から供給される画像データを基に、信号線136を介して液晶ディスプレイ10の液晶分子の並び方や電圧の印加によりスイッチング制御を行なう。この制御により液晶ディスプレイ10は、画像を表示する。液晶駆動回路130は、システムコントロール部64から供給される制御信号138によって制御される。
【００６５】
システムコントロール部64は、制御信号88によって電源回路90を制御し、デジタルカメラ60を構成する各構成要素に電圧をかけて電流を流させる。
【００６６】
電源回路90は、制御信号88を基に、デジタルカメラ60を構成する各構成要素に電圧をかけて電流を流す。
【００６７】
液晶ディスプレイ10は、信号線136を介して行なわれる液晶駆動回路130からの制御により、画像を表示する。本実施例では液晶ディスプレイ10を用いているが、ディスプレイはこれに限定されず、液晶ディスプレイのように光源を必要とするタイプのディスプレイであれば、いかなるものを用いてもよい。
【００６８】
フレームメモリ118は、1フレーム（1画面）分の画像をまるごと記憶するメモリであり、デジタル画像処理回路114から供給される画像データや記録媒体80から読み出された再生対象のデータを保存する。また、各種画像処理を行なうための作業用メモリ領域としても利用される。フレームメモリ118は、システムコントロール部64から供給される制御信号76によって制御される。
【００６９】
フレームメモリ118は、表示制御信号76を受けた場合、記録している画像データをデジタル画像処理回路114に供給し、液晶ディスプレイ10に表示させる。
【００７０】
フレームメモリ118は、サムネイル信号76を受けた場合は、４個もしくは16個の画像データをデジタル画像処理回路114に供給し、液晶ディスプレイ10に表示させる。
【００７１】
記憶媒体80は、半導体メモリとしてよいが、他のいかなるタイプの記憶装置としてもよい。記憶媒体80は、信号線140を介して供給される画像データを記録する。また、記録媒体I/F 122を介してフレームメモリ118と相互に画像データを転送することが可能である。
【００７２】
記録媒体I/F（InterFace）122は、記録媒体アクセス機能を有し、信号線76から供給される画像データを記録媒体80に転送する、あるいは、記録媒体80から画像データ読込み、信号線76に供給することができる。記録媒体I/F 122は、システムコントロール部64から供給される制御信号76によって制御される。
【００７３】
記録媒体I/F 122は、表示制御信号76を受けた場合、記録している画像データをデジタル画像処理回路114に供給し、液晶ディスプレイ10に表示させる。
【００７４】
記録媒体I/F 122は、サムネイル信号76が供給された場合、記録媒体80から４もしくは16の画像データを読込み、デジタル画像処理回路114に供給し、液晶ディスプレイ10に表示させる。
【００７５】
外部データI/F 72は、他のデジタルカメラやPC（Personal Computer）あるいはプリンタとデジタルカメラ60とをUSB（Universal Serial Bus）ケーブル等で連結するためのインタフェースである。他のデジタルカメラやPCとデジタルカメラ60とをケーブルを介して接続した場合、デジタルカメラ60が有する画像データを他のデジタルカメラやPCに転送したり、あるいは他のデジタルカメラやPCが有する画像データをデジタルカメラ60に転送したりすることができる。画像データを外部に転送する場合、信号線74から画像が供給され、外部から画像データが転送された場合は信号線74を介してシステムコントロール部64に画像データを供給する。プリンタとデジタルカメラ60とをケーブルを介して接続した場合、デジタルカメラ60が有する画像データをプリンタで印刷することが可能である。転送する画像や印刷する画像の選択は、操作部が有する十字キーなどによってなされる。
【００７６】
システムコントロール部64は、外部データI/F 72から供給される画像データをフレームメモリ118に供給し、保存させる。
【００７７】
ビデオ出力回路132は、信号線128から供給される画像データをビデオケーブル142等を用いて連結された外部の画像機器に出力することができる。
【００７８】
以上のように構成された本発明による画像表示装置の実施例の動作について、以下説明する。初期状態として、図４のように通常モードでLED 12、14、16が点灯している場合を想定する。この場合、図１のバックライト駆動装置30のスイッチSW1、SW2、SW3、SW4はそれぞれ、端子1b、2b、3b、4bに切り換えられていて、LED 12、14、16のみに電流が流れ、点灯している。抵抗は大抵抗R2より抵抗値の小さい小抵抗R1に流れている。
【００７９】
操作部68において、ユーザがモード切替ボタン156を押すと、モード切替信号70が作成され、システムコントロール部64に供給される。するとシステムコントロール部64は、モード切替制御信号66を作成し、バックライト駆動装置30へ供給する。バックライト駆動装置30は、モード切替制御信号66が供給されると、初期状態として図10に示すようにLED 16、18のみを点灯させ、領域46のみを照明する。そして同領域46に矢印50が表示される。この場合、バックライト駆動装置30のスイッチSW2、SW3、SW4がそれぞれ端子2a、3a、4aに切り換えられ、LED 16、18と大抵抗R2とに電流が流れ、LED 16、18のみが点灯する。大抵抗R2は小抵抗R1に比べて抵抗値が大きいため、LED 16、18に流れる電流の電流値は小さくなり、通常モードに比較して消費電力は抑制される。
【００８０】
ユーザはさらに、操作部68が有するポインティングデバイス67によって、液晶ディスプレイ10に表示されている矢印50を動かし、LEDによって照明すべき領域を、例えば図11に示すように領域44に変更してもよい。あるいは、ユーザは、操作部68の操作により、最大２つの任意の領域を同時に照明することもできる。この場合も通常モードに比較して消費電力は抑制される。
【図面の簡単な説明】
【００８１】
【図１】本発明による画像表示装置が有するバックライト駆動装置の構成図である。
【図２】本発明による画像表示装置が有するENCD回路の構成図である。
【図３】図１のバックライト駆動装置および図２のENCD回路を含む、本発明による画像表示装置の実施例であるデジタルカメラの構成図である。
【図４】図３に示すデジタルカメラの通常モード時に、３個のLEDによって液晶ディスプレイ全体が照明されている様子を示す図である。
【図５】図３に示すデジタルカメラの低消費電力モード時に、２個のLEDのみが点灯して液晶ディスプレイの１つの領域のみを照明している様子を示す図である。
【図６】図３に示すデジタルカメラの低消費電力モード時に、液晶ディスプレイに４つの画像をサムネイル表示によって同時に再生した様子を示す図である。
【図７】図３に示すデジタルカメラの低消費電力モード時に、液晶ディスプレイに４つの画像をサムネイル表示によって同時に再生した様子を示す図である。
【図８】図３に示すデジタルカメラの低消費電力モード時に、液晶ディスプレイに16個の画像をサムネイル表示によって同時に再生した様子を示す図である。
【図９】図３に示すデジタルカメラの低消費電力モード時に、液晶ディスプレイに16個の画像をサムネイル表示によって同時に再生した様子を示す図である。
【図１０】図３に示すデジタルカメラの低消費電力モード時に液晶ディスプレイに表示され、照明すべき領域を選択する矢印を示す図である。
【図１１】図３に示すデジタルカメラの低消費電力モード時に液晶ディスプレイに表示され、照明すべき領域を選択する矢印を示す図である。
【符号の説明】
【００８２】
10  液晶ディスプレイ
12、14、16、18、20、22、24、26、28  LED
30  バックライト駆動装置
32  昇圧IC
60  デジタルカメラ
64  システムコントロール部
68  操作部
130  液晶駆動回路
【図１】
2007148059.tif 000003
【図２】
2007148059.tif 000004
【図３】
2007148059.tif 000005
【図４】
2007148059.tif 000006
【図５】
2007148059.tif 000007
【図６】
2007148059.tif 000008
【図７】
2007148059.tif 000009
【図８】
2007148059.tif 000010
【図９】
2007148059.tif 000011
【図１０】
2007148059.tif 000012
【図１１】
2007148059.tif 000013